(57)【特許請求の範囲】
【請求項１】
人物が撮影された複数の画像データのスライドショーをスライドショー再生装置で再生するスライドショー再生方法において、
前記スライドショー再生装置内の画像データ読込手段によって、前記複数の画像データを画像記憶媒体から読み込む画像データ読み込みステップを行い、
前記スライドショー再生装置内のデータ処理手段によって、
読み込んだ各画像データから人物の顔画像を抽出する顔画像抽出ステップと、
抽出された複数の顔画像を配列した合成画像を生成する合成画像生成ステップと、
前記合成画像を前記顔画像の集合シーンとして前記スライドショーの全編中に挿入する集合シーン挿入ステップとを行うことを特徴とするスライドショー再生方法。
【請求項２】
前記集合シーンは、前記スライドショーの全編中の所定の位置に挿入されることを特徴とする請求項１記載のスライドショー再生方法。
【請求項３】
前記集合シーンは、前記スライドショーのラストシーンとして挿入されることを特徴とする請求項２記載のスライドショー再生方法。
【請求項４】
前記データ処理手段は、前記顔画像抽出ステップの後に、抽出された複数の顔画像を類似度に応じて複数のグループに分類する顔画像分類ステップと、前記各グループから前記合成画像に使用する代表画像を１つずつ選択する代表画像選択ステップとを行い、
前記合成画像生成ステップでは、前記選択された複数の代表画像を合成して前記合成画像を生成することを特徴とする請求項１〜３いずれか記載のスライドショー再生方法。
【請求項５】
前記各代表画像は、それぞれのグループ内の顔画像の中でサイズが最も大きい顔画像であることを特徴とする請求項４記載のスライドショー再生方法。
【請求項６】
前記各代表画像は、それぞれのグループ内の顔画像の中で最初に分類された顔画像であることを特徴とする請求項４記載のスライドショー再生方法。
【請求項７】
前記データ処理手段は、前記顔画像分類ステップの後に、各グループ内の顔画像の数をカウントする顔画像カウントステップを行い、
前記合成画像生成ステップでは、カウントされた顔画像の数に応じて各グループの代表画像に序列をつけて、その序列に応じて前記合成画像内の各代表画像の表示サイズ又はレイアウトを決定することを特徴とする請求項４〜６いずれか記載のスライドショー再生方法。
【請求項８】
前記合成画像生成ステップは、スライドショーの再生が開始される前に行われることを特徴とする請求項１〜７いずれか記載のスライドショー再生方法。
【請求項９】
人物が撮影された複数の画像データのスライドショーをコンピュータに実行させるスライドショー再生プログラムにおいて、
前記複数の画像データを画像記憶媒体から読み込む画像データ読み込みステップと、
読み込んだ各画像データから人物の顔画像を抽出する顔画像抽出ステップと、
抽出された複数の顔画像を配列した合成画像を生成する合成画像生成ステップと、
前記スライドショーの全編中に、前記合成画像を前記人物の集合シーンとして前記スライドショーに挿入する集合シーン挿入ステップとを備えたことを特徴とするスライドショー再生プログラム。
【請求項１０】
人物が撮影された複数の画像データのスライドショーを再生するスライドショー再生装置において、
前記複数の画像データを画像記憶媒体から読み込む画像データ読込手段と、
読み込んだ各画像データから人物の顔画像を抽出する顔画像抽出手段と、
抽出された複数の顔画像を配列した合成画像を生成する合成画像生成手段と、
前記スライドショーの全編中に、前記合成画像を前記人物の集合シーンとして前記スライドショーに挿入する集合シーン挿入手段とを備えたことを特徴とするスライドショー再生装置。
【発明の詳細な説明】
【技術分野】
【０００１】
本発明は、人物が撮影された複数の画像データを合成するスライドショー再生方法、スライドショー再生プログラム、スライドショー再生装置及び画像合成方法に関する。
【背景技術】
【０００２】
デジタルカメラで撮影された複数枚の写真を所定間隔で切り替えながらモニタに再生表示するスライドショーが知られている（例えば、特許文献１参照）。スライドショーは、複数枚の写真が自動的に切り替え表示されるので、とりためた大量の写真をまとめて観賞するのに適している。
【０００３】
特許文献１のスライドショー再生方法では、複数枚の写真を単純に切り替えるだけでなく、１枚の写真の一部をクローズアップするズーミング処理や、写真のあるポイントから他のポイントへ視点を移動させるパンニング処理などの特殊効果を施してスライドショーを演出している。また、近年は、写真に写し込まれた人物の顔画像を検出する顔検出技術も開発されている（例えば、特許文献２参照）。特許文献１のスライドショー再生方法では、こうした顔検出技術と前記特殊効果とを組み合わせて、顔画像をクローズアップさせたり、１つの顔画像から別の顔画像へパンニングさせるといった演出を施している。
【特許文献１】特開２００５−１８２１９６号公報
【特許文献２】特開２００５−１７４３０８号公報
【発明の開示】
【発明が解決しようとする課題】
【０００４】
このようにスライドショー再生技術は、スライドショーの付加価値をより高める方向に進んでおり、その開発現場においては、付加価値をより高めるためのアイデアが求められていた。
【０００５】
本発明の目的は、スライドショーの付加価値を高めることである。
【課題を解決するための手段】
【０００６】
上記目的を達成するために、本発明は、人物が撮影された複数の画像データのスライドショーをスライドショー再生装置で再生するスライドショー再生方法において、前記スライドショー再生装置内の画像データ読込手段によって、前記複数の画像データを画像記憶媒体から読み込む画像データ読み込みステップを行い、前記スライドショー再生装置内のデータ処理手段によって、読み込んだ各画像データから人物の顔画像を抽出する顔画像抽出ステップと、抽出された複数の顔画像を配列した合成画像を生成する合成画像生成ステップと、前記合成画像を前記顔画像の集合シーンとして前記スライドショーの全編中に挿入する集合シーン挿入ステップとを行うことを特徴とする。
【０００７】
なお、集合シーンは、スライドショーの全編中の所定の位置に挿入されることが好ましい。
【０００８】
特に、スライドショーのラストシーンとして挿入されることが好ましい。
【０００９】
また、前記データ処理手段は、顔画像抽出ステップの後に、抽出された複数の顔画像を類似度に応じて複数のグループに分類する顔画像分類ステップと、各グループから合成画像に使用する代表画像を１つずつ選択する代表画像選択ステップとを行い、合成画像生成ステップでは、選択された複数の代表画像を合成して合成画像を生成することが好ましい。
【００１０】
さらに、各代表画像は、それぞれのグループ内の顔画像の中でサイズが最も大きい顔画像であることが好ましい。
【００１１】
または、各代表画像は、それぞれのグループ内の顔画像の中で最初に分類された顔画像であることが好ましい。
【００１２】
また、前記データ処理手段は、顔画像分類ステップの後に、各グループ内の顔画像の数をカウントする顔画像カウントステップを行い、合成画像生成ステップでは、カウントされた顔画像の数に応じて各グループの代表画像に序列をつけて、その序列に応じて合成画像内の各代表画像の表示サイズ又はレイアウトを決定することが好ましい。
【００１３】
さらに、合成画像生成ステップは、スライドショーの再生が開始される前に行われることが好ましい。
【００１４】
本発明のスライドショー再生プログラムは、人物が撮影された複数の画像データのスライドショーをコンピュータに実行させるスライドショー再生プログラムであって、複数の画像データを画像記憶媒体から読み込む画像データ読み込みステップと、読み込んだ各画像データから人物の顔画像を抽出する顔画像抽出ステップと、抽出された複数の顔画像を配列した合成画像を生成する合成画像生成ステップと、スライドショーの全編中に、合成画像を人物の集合シーンとしてスライドショーに挿入する集合シーン挿入ステップとを備えたことを特徴とする。
【００１５】
本発明のスライドショー再生装置は、人物が撮影された複数の画像データのスライドショーを再生するスライドショー再生装置であって、複数の画像データを画像記憶媒体から読み込む画像データ読込手段と、読み込んだ各画像データから人物の顔画像を抽出する顔画像抽出手段と、抽出された複数の顔画像を配列した合成画像を生成する合成画像生成手段と、スライドショーの全編中に、合成画像を人物の集合シーンとしてスライドショーに挿入する集合シーン挿入手段とを備えたことを特徴とする。
【００１６】
本発明の画像合成方法は、人物が撮影された複数の画像データを合成する画像合成方法であって、複数の画像データを画像記憶媒体から読み込む画像データ読み込みステップと、読み込んだ各画像データから人物の顔画像を抽出する顔画像抽出ステップと、抽出された複数の顔画像を配列した合成画像を生成する合成画像生成ステップとを備えていることを特徴とする。
【発明の効果】
【００１７】
本発明のスライドショー再生方法によれば、複数の画像データを画像記憶媒体から読み込む画像データ読み込みステップと、読み込んだ各画像データから人物の顔画像を抽出する顔画像抽出ステップと、抽出された複数の顔画像を配列した合成画像を生成する合成画像生成ステップと、合成画像を顔画像の集合シーンとしてスライドショーの全編中に挿入する集合シーン挿入ステップとを備えたことより、複数の画像データの人物を一つにまとめて表示することができ、スライドショーの演出の効果は増す。
【００１８】
また、集合シーンは、スライドショーの全編中の所定の位置に挿入されることより、あらゆるスライドショーの再生の際に一定の効果が得られる。
【００１９】
さらに、顔画像抽出ステップの後に、抽出された複数の顔画像を類似度に応じて複数のグループに分類する顔画像分類ステップと、各グループから合成画像に使用する代表画像を１つずつ選択する代表画像選択ステップとを含んでおり、合成画像生成ステップでは、選択された複数の代表画像を合成して合成画像を生成することより、集合シーンに同一人物が重複して登場することはない。
【００２０】
さらに、各代表画像は、それぞれのグループ内の顔画像の中でサイズが最も大きい顔画像であることより、総じて写りの良い顔画像を用いることとなり、質の高いスライドショーを再生することができる。
【００２１】
または、各代表画像は、それぞれのグループ内の顔画像の中で最初に分類された顔画像であることより、画一的に処理することとなり、処理時間の短縮につながる。
【００２２】
また、顔画像分類ステップの後に、各グループ内の顔画像の数をカウントする顔画像カウントステップとを含み、合成画像生成ステップでは、カウントされた顔画像の数に応じて各グループの代表画像に序列をつけて、その序列に応じて合成画像内の各代表画像の表示サイズ又はレイアウトを決定することより、各人物のスライドショーへの登場頻度を容易に判断することができる。
【発明を実施するための最良の形態】
【００２３】
図１に示すスライドショー再生装置１１は、複数の画像をモニタ１５に切り替え表示してスライドショーを再生する装置であり、例えば、パーソナルコンピュータにスライドショー再生プログラムをインストールして実現される。スライドショー再生装置１１は、ＣＰＵ１２、カードリーダ１３、ＲＡＭ１４、モニタ１５、操作部１６、データストレージデバイス（以下、単に「ストレージ」という）１７からなる。ＣＰＵ１２（データ処理手段）は、操作部１６から入力される操作指示に従って装置全体を統括的に制御する。ストレージ１７には、スライドショー再生プログラム（以下、単に「プログラム」という）１０が格納されている。ＣＰＵ１２は、このプログラム１０をＲＡＭ１４にロードして、プログラム１０に記述された処理ステップを実行することにより、スライドショーが再生される。ＲＡＭ１４は、ＣＰＵ１２が処理を実行するために使用する作業用メモリである。
【００２４】
モニタ１５は、スライドショーを表示するとともに、プログラム１０の各種の操作画面を表示する。操作画面には、スライドショーに使用する画像を選択する画像選択画面や後述するテンプレート選択画面などが含まれる。メモリカード１８は、デジタルカメラによって撮影された画像がデジタルデータとして格納する画像記憶媒体である。カードリーダ（画像データ読込手段）１３は、メモリカード１８にアクセスして画像を読み込む。
【００２５】
プログラム１０が起動されて、画像選択画面でユーザによってスライドショーに使用する画像が選択されて、再生指示が与えられると、カードリーダ１３は選択された画像Ｐｉｃ１〜ＰｉｃＸを読み込む。スライドショーが開始されると、読み込まれた複数の画像Ｐｉｃ１〜ＰｉｃＸが、モニタ１５に所定時間間隔で切り替えられながら順次表示される。
【００２６】
テンプレートは、画像データに対してマスキング処理などの特殊効果を与えてスライドショーを演出するために、予め用意された装飾用データである。マスキング処理は、例えば、図２に示すように、画面にマスクをかけて、そのマスクを部分的に外していく処理である。例えば、図２（ｄ）に示すように、Ａ、Ｂ、Ｃの三人の人物が写っている画像Ｐｉｃ１００に対して、マスキング処理を施す場合には、画面全体にマスクをかけた状態から、図２（ａ）に示すように、人物Ａの部分のマスクを外し、次に、図２（ｂ）及び図２（ｃ）に示すように、人物Ｂ、人物Ｃの順にマスクを外していく。マスクをかけることにより、マスクが外された部分を相対的に際だたせることができる。
【００２７】
マスキング処理には、この他にも変形例があり、マスクが外れた表示枠を画面内で移動させるなどの処理がある。図３は、この処理を、Ａ、Ｂ、Ｃの三人の人物の顔がほぼ直線上に配列された画像Ｐｉｃ２００に適用した例である。図３（ａ）に示すように、まず、表示枠によって左端の人物Ａを表示した後、表示枠が横方向に移動して、図３（ｂ）に示すように、真ん中の人物Ｃを表示し、さらに、右方向に表示枠が移動して、図３（ｃ）に示すように、右端の人物Ｂが表示される。
【００２８】
テンプレートのデータは、こうした特殊効果の種類毎に各種のものが用意されており、プログラム１０とともにストレージ１７に格納されている。ユーザは、こうした各種のテンプレートの中から、スライドショーに使用するテンプレートを、テンプレート選択画面から選択することができる。
【００２９】
こうしたテンプレートによるスライドショーの演出に加えて、本発明のスライドショー再生装置１１は、スライドショーに登場する人物の集合シーンを作成して、スライドショーの全編中に挿入する集合シーン挿入機能を備えている。集合シーンは、スライドショーに使用する複数の画像から顔画像を抽出して、抽出した顔画像を配列した合成画像である。こうした集合シーンを、スライドショーに挿入することで、そのスライドショーの登場人物を一覧することができる。
【００３０】
スライドショーに使用する複数の画像には、同一人物が複数の画像に渡って写っている場合が多いので、単に、各画像からすべての人物の顔画像を抽出して、それらの顔画像を合成するだけでは、図４に示す集合シーン１９のように、同一人物の顔画像が重複してしまうことが考えられる。そこで、本発明のスライドショー再生装置１１では、こうした重複をなくす工夫をしている。
【００３１】
以下、人物Ａ〜Ｆが登場する複数の画像Ｐｉｃ１〜ＰｉｃＸをスライドショーに使用する場合を例に説明する。ＣＰＵ（顔画像抽出手段）１２は、図５（ａ）に示すように、画像Ｐｉｃ１〜ＰｉｃＸのそれぞれに対して画像解析を行い、各画像Ｐｉｃ１〜ＰｉｃＸに含まれる顔画像２１ａ〜２１ｔを抽出する。顔画像の抽出は、例えば、特許文献２に記載されている方法で行われる。そして、図５（ａ）及び図５（ｂ）に示すように、抽出される顔画像２１ａ〜２１ｔを類似度の高いもの毎に人物Ａ〜Ｆのグループ２２ａ〜２２ｆに分類する。具体的には、先ず、画像Ｐｉｃ１から抽出された人物Ａの顔画像２１ａを人物Ａのグループ２２ａに分類する。そして、画像Ｐｉｃ２から抽出された人物Ｂの顔画像２１ｂを人物Ｂのグループ２２ｂに分類する。さらに、画像Ｐｉｃ３から抽出された人物Ｃの顔画像２１ｃを人物Ｃのグループ２２ｃに分類し、人物Ａの顔画像２１ｄを人物Ａのグループ２２ａに分類する。以下、画像Ｐｉｃ４〜ＰｉｃＸから抽出される顔画像２１ｅ〜２１ｔに対しても同様に分類する。
【００３２】
さらに、ＣＰＵ（合成画像生成手段）１２は、図６に示すように、分類された人物Ａ〜Ｆのグループ２２ａ〜２２ｆ内の顔画像の数をそれぞれカウントする。そして、各グループ２２ａ〜２２ｆ内の顔画像の中でサイズが最も大きい顔画像２１ａ、２１ｂ、２１ｉ、２１ｒ、２１ｐ、２１ｎを代表画像としてそれぞれ選択する。顔画像の数の多いグループの代表画像から順に序列をつけて、序列に従いそれらの表示サイズを決定した上で、代表画像２１ａ、２１ｂ、２１ｉ、２１ｒ、２１ｐ、２１ｎを配列して、図７に示す集合シーン２０を生成する。このように、同一人物の顔画像毎に分類された各グループから代表画像として１つずつ顔画像を選択しているので、同一人物の顔画像が重複した集合シーンが生成されることはない。また、各グループ内の顔画像の中でサイズが最も大きい顔画像を代表画像として選択するので、総じて写りの良い顔画像を用いることとなり、質の高いスライドショーを再生することができる。
【００３３】
ここで、上記代表画像の表示サイズの決定について詳細に説明する。図６に示すように、人物Ａのグループ２２ａ内の顔画像は２１ａ、２１ｄ、２１ｑ、２１ｋ、２１ｈ、２１ｌの６個とカウントされる。同様に、人物Ｂのグループ２２ｂ内の顔画像は２１ｂ、２１ｏの２個と、人物Ｃのグループ２２ｃ内の顔画像は２１ｉ、２１ｃ、２１ｍの３個と、人物Ｄのグループ２２ｄ内の顔画像は２１ｒ、２１ｊの２個と、人物Ｅのグループ２２ｅ内の顔画像は２１ｐ、２１ｓ、２１ｅ、２１ｆの４個と、人物Ｆのグループ２２ｆ内の顔画像は２１ｎ、２１ｔ、２１ｇの３個と、それぞれがカウントされる。これにより、グループ内の顔画像の数の最も多い人物Ａの代表画像２１ａから順に、人物Ｅの代表画像２１ｐ、人物Ｃの代表画像２１ｉ、人物Ｆの代表画像２１ｎ、人物Ｂの代表画像２１ｂ、人物Ｄの代表画像２１ｒと序列がつけられる。そして、人物Ａの代表画像２１ａを最も大きい表示サイズとし、序列に従って、代表画像２１ｐ、２１ｉ、２１ｎ、２１ｂ、２１ｒを段々と小さい表示サイズとして配列し、図７に示す集合シーン２０を生成する。これにより、各人物のスライドショーへの登場頻度を容易に判断することができる。
【００３４】
以下、上記構成のスライドショー再生装置１１の作用について図８及び図９のフローチャートを参照しながら説明する。スライドショー再生装置１１によってスライドショーを再生するときには、先ず、カードリーダ１３にメモリカード１８をセットして、そこに記憶された画像Ｐｉｃ１〜ＰｉｃＸをスライドショー再生装置１１へと読み込ませる。読み込まれた画像Ｐｉｃ１〜ＰｉｃＸは、モニタ１５に画像選択画面として表示される。ユーザは画像選択画面を見ながら操作部１６を操作して、スライドショーで再生する画像を選択する。続いてモニタ１５には、スライドショーに使用する特殊効果のテンプレートを選択させるテンプレート選択画面が表示される。ユーザはテンプレート選択画面を見ながら操作部１６を操作して、スライドショーに使用するテンプレートを選択する。
【００３５】
ＣＰＵ１２は、操作部１６からの操作指示を受け、複数の画像Ｐｉｃ１〜ＰｉｃＸに対してテンプレートに記録された特殊効果を施す（例えば、図２及び図３）。
【００３６】
また、ＣＰＵ１２は、選択された複数の画像Ｐｉｃ１〜ＰｉｃＸのそれぞれに対して画像解析を行い、各画像Ｐｉｃ１〜ＰｉｃＸに含まれる顔画像２１ａ〜２１ｔを抽出し（図５（ａ））、抽出された顔画像２１ａ〜２１ｔを類似度の高いもの毎に人物Ａ〜Ｆのグループ２２ａ〜２２ｆに分類する（図５（ｂ））。
【００３７】
さらに、ＣＰＵ１２は、人物Ａ〜Ｆのグループ２２ａ〜２２ｆ内の顔画像の数をそれぞれカウントする（図６）。そして、各グループ２２ａ〜２２ｆ内の顔画像の中でサイズが最も大きい顔画像２１ａ、２１ｂ、２１ｉ、２１ｒ、２１ｐ、２１ｎを代表画像としてそれぞれ選択し、顔画像の数の最も多いグループ２２ａの代表画像２１ａから順に代表画像２１ｐ、２１ｉ、２１ｎ、２１ｂ、２１ｒと序列をつける。さらに、人物Ａの代表画像２１ａを最も大きい表示サイズとし、序列に従って、代表画像２１ｐ、２１ｉ、２１ｎ、２１ｂ、２１ｒを段々と小さい表示サイズとして配列し、集合シーン２０を生成する（図７）。
【００３８】
ユーザの操作部１６の操作によって再生指示が与えられると、集合シーン２０は、スライドショーのラストシーンに挿入され、再生される（図１０（ａ））。これにより、スライドショーの登場人物を重複することなく一覧することができる。なお、集合シーン２０は、スライドショーの冒頭に挿入されるのでも良いし（図１０（ｂ））、ユーザの操作部１６の操作によって任意の位置に挿入されるのでも良い（図１０（ｃ））。
【００３９】
なお、上記実施形態において、スライドショー再生装置１１は、パーソナルコンピュータにプログラム１０をインストールして実現される場合を例に説明したが、これに限定されるのではなく、例えば、スライドショー再生専用の装置でも良い。
【００４０】
また、上記実施形態において、スライドショーは、複数の画像Ｐｉｃ１〜ＰｉｃＸが所定時間間隔で自動的に切り替えながら順次表示される場合を例に説明したが、これに限定されるのではなく、例えば、操作部１６の操作によって複数の画像Ｐｉｃ１〜ＰｉｃＸを切り替えながら表示させるのでも良い。
【００４１】
また、上記実施形態において、画像記憶媒体としてメモリカードを例に説明しているが、メモリカードではなく、ＣＤ、ＤＶＤ、ＵＳＢメモリなど各種の画像記憶媒体を使用しても良い。
【００４２】
また、上記実施形態において、スライドショーに使用する画像は、操作部１６によって選択される場合を例に説明したが、これに限定されるのではなく、例えば、画像記憶媒体に記憶される画像データを自動的に読み込み、読み込まれた全てが選択されるのでも良い。
【００４３】
また、上記実施形態において、スライドショーで使用する画像は、カードリーダ１３によって読み込まれる画像を選択する場合を例に説明したが、これに限定されるのではなく、予めストレージ１７に画像を記憶させておき、その画像を選択するのでも良い。
【００４４】
また、上記実施形態において、画像に対して特殊効果を適用した後に集合シーン２０を生成する場合を例に説明したが、集合シーン２０を生成した後に画像に対して特殊効果を適用しても良い。この場合、スライドショーに使用する画像だけでなく、集合シーン２０に対しても特殊効果を適用しても良い。
【００４５】
また、上記実施形態において、集合シーンは、スライドショーの再生前に予め生成される場合を例に説明したが、スライドショーの再生中に再生処理と生成処理とを並行して行っても良い。
【００４６】
また、上記実施形態において、各グループの顔画像の中でサイズが最も大きい顔画像を代表画像とする場合を例に説明したが、例えば、顔画像の分類処理を実行したときに、各グループに最初に分類された顔画像をそれぞれ代表画像としても良い。また、各顔画像のピント状態を調べて、最もピントがあっているものを使っても良い。
【００４７】
また、上記実施形態において、カウント数に応じて各グループの代表画像に序列をつけて集合シーン内の各代表画像の表示サイズを変化させる場合を例に説明したが、表示サイズではなく、レイアウトを変化させても良い。この場合、例えば、上記実施例と同様、人物Ａの代表画像２１ａから順に、人物Ｅの代表画像２１ｐ、人物Ｃの代表画像２１ｉ、人物Ｆの代表画像２１ｎ、人物Ｂの代表画像２１ｂ、人物Ｄの代表画像２１ｒと序列がつけられているとすると、人物Ａの代表画像２１ａを中心にレイアウトし、序列に従って、代表画像２１ｐ、２１ｉ、２１ｎ、２１ｂ、２１ｒを段々と中心から離れるレイアウトとした図１１に示す集合シーン２３が生成される。
【００４８】
また、上記実施形態において、スライドショーに用いる合成画像を生成する場合を例に説明したが、本発明には、複数の画像から顔画像を抽出し、抽出した複数の顔画像を配列した合成画像を生成する画像合成方法も含まれており、合成画像の用途は、スライドショーに限定されない。この合成画像は、スライドショーの集合シーンの他にも、例えば、プリント用のデータとして用いられる。こうした合成画像のプリントは、複数の画像に写っている人物を一覧するのに有用である。
【図面の簡単な説明】
【００４９】
【図１】本発明のスライドショー再生装置の構成を示すブロック図である。
【図２】画像データを演出するマスキング処理を説明する図である。
【図３】画像データを演出するマスキング処理の変形例を説明する図である。
【図４】同一人物の顔画像が重複した集合シーンの図である。
【図５】顔画像の抽出及び分類を説明する図である。
【図６】顔画像のカウントを説明する図である。
【図７】同一人物の顔画像の重複をなくした集合シーンの図である。
【図８】スライドショーを再生するまでの処理手順を示すフローチャートである。
【図９】集合シーンの生成手順を示すフローチャートである。
【図１０】スライドショーの全編中における集合シーンの挿入位置を示す図である。
【図１１】別の実施形態における集合シーンの図である。
【符号の説明】
【００５０】
１０  スライドショー再生プログラム
１１  スライドショー再生装置
１２  ＣＰＵ
１３  カードリーダ
１４  ＲＡＭ
１５  モニタ
１６  操作部
１７  データストレージデバイス
１８  メモリカード
１９、２０、２３  集合シーン
２１ａ〜２１ｔ  顔画像
２２ａ〜２２ｆ  グループ
Ｐｉｃ１、Ｐｉｃ２、Ｐｉｃ３〜ＰｉｃＸ、Ｐｉｃ１００、Ｐｉｃ２００  画像
【図１】
0004789658.tif 000002
【図２】
0004789658.tif 000003
【図３】
0004789658.tif 000004
【図４】
0004789658.tif 000005
【図５】
0004789658.tif 000006
【図６】
0004789658.tif 000007
【図７】
0004789658.tif 000008
【図８】
0004789658.tif 000009
【図９】
0004789658.tif 000010
【図１０】
0004789658.tif 000011
【図１１】
0004789658.tif 000012